(57)【特許請求の範囲】
【請求項１】
計算結果を含む第１の作業データを記憶している第１作業データ記憶手段と、
情報表示装置から第２の作業データを受信する作業データ受信手段と、
前記作業データ受信手段により受信された第２の作業データに計算結果が含まれている場合に、前記受信された第２の作業データと前記第１の作業データとを比較した比較結果を出力する比較結果出力手段と、
前記作業データ受信手段により受信された第２の作業データに計算結果が含まれていない場合に、前記計算結果が含まれていないことに対応した情報を報知する作業中報知手段と、
を備えたことを特徴とする通信機器。
【請求項２】
前記比較結果出力手段は、前記受信された第２の作業データと前記第１の作業データとを比較した比較結果として、前記第２の作業データに含まれる第２の基本設定データが前記第１の作業データに含まれる第１の基本設定データと異なる場合に、前記第１の基本設定データを前記情報表示装置に送信する基本設定データ送信手段を更に備え、
前記比較結果出力手段は、前記作業データ受信手段により前記情報表示装置から受信された、前記基本設定データ送信手段により送信された前記第１の基本設定データに基づいて再計算された第３の作業データに計算結果が含まれている場合に、前記受信された第３の作業データと前記第１の作業データとを比較した比較結果を出力する
ことを特徴とする請求項１の通信機器。
【請求項３】
前記第１の作業データは第１の計算モードを含み、
前記第２の作業データは第２の計算モードを含み、
前記比較結果出力手段は、前記受信された第２の作業データと前記第１の作業データとを比較した比較結果として、前記第２の作業データに含まれる第２の計算モードが前記第１の作業データに含まれる第１の計算モードと異なる場合に、計算モードが異なる旨を報知する計算モード報知手段を有する、
ことを特徴とする請求項１に記載の通信機器。
【請求項４】
前記第１の作業データは第１の設定データを含み、
前記第２の作業データは第２の設定データを含み、
前記比較結果出力手段は、前記受信された第２の作業データと前記第１の作業データとを比較した比較結果として、前記第２の作業データに含まれる第２の設定データが前記第１の設定データと異なる場合に、設定データが異なる旨を報知する設定データ報知手段を有する、
ことを特徴とする請求項１に記載の通信機器。
【請求項５】
前記第１の作業データは第１の入力データを含み、
前記第２の作業データは第２の入力データを含み、
前記第２の作業データに含まれる第２の計算モードが前記第１の作業データに含まれる第１の計算モードと異なる場合に、前記第１の作業データに含まれる第１の計算モードと第１の入力データを、前記情報表示装置に送信する入力データ送信手段を有する、
ことを特徴とする請求項３に記載の通信機器。
【請求項６】
前記第２の作業データに含まれる第２の設定データが前記第１の作業データに含まれる第１の設定データと異なる場合に、前記第１の作業データに含まれる第１の設定データを、前記情報表示装置に送信する設定データ送信手段を有する、
ことを特徴とする請求項５に記載の通信機器。
【請求項７】
第２の作業データを記憶している作業データ記憶手段と、
第１の作業データを記憶している通信機器から前記第２の作業データの送信依頼を受信する送信依頼受信手段と、
前記送信依頼受信手段による送信依頼の受信に応じて、前記作業データ記憶手段に記憶された第２の作業データを前記通信機器に送信する作業データ送信手段と、
前記作業データ送信手段により前記通信機器に送信した第２の作業データが計算結果を含み且つ前記第１の作業データと異なる場合に、前記通信機器から前記作業データ記憶手段により記憶した第２の作業データを前記第１の作業データに対応させて変更するための変更データを受信する変更データ受信手段と、
を備え、
前記作業データ送信手段により前記通信機器に送信した第２の作業データが計算結果を含み且つ前記第２の作業データに含まれる第２の基本設定データが前記第１の作業データに含まれる第１の基本設定データと異なる場合に、前記通信機器から受信した前記変更データにより前記第１の基本設定データに対応して変更された前記第２の基本設定データに基づいて再計算を行って、計算結果データの第３の作業データを前記作業データ送信手段により前記通信機器に送信する
ことを特徴とする情報表示装置。
【請求項８】
前記第１の作業データは第１の計算モードと第１の入力データを含み、
前記第２の作業データは第２の計算モードと第２の入力データを含み、
前記変更データ受信手段は、前記通信機器から受信する、前記第２の作業データを前記第１の作業データに対応させて変更するための変更データとして、前記第１の作業データに含まれる前記第１の計算モードと前記第１の入力データを受信する、
ことを特徴とする請求項７に記載の情報表示装置。
【請求項９】
通信機器を制御するための通信方法であって、
計算結果を含む第１の作業データを記憶し、
情報表示装置から第２の作業データを受信し、
前記受信された第２の作業データに計算結果が含まれている場合に、前記受信された第２の作業データと前記第１の作業データとを比較した比較結果を出力し、
前記受信された第２の作業データに計算結果が含まれていない場合に、前記計算結果が含まれていないことに対応した情報を報知する、
ことを特徴とする通信方法。
【請求項１０】
前記受信された第２の作業データと前記第１の作業データとを比較した比較結果として、前記第２の作業データに含まれる第２の基本設定データが前記第１の作業データに含まれる第１の基本設定データと異なる場合に、前記第１の基本設定データを前記情報表示装置に送信し、
前記情報表示装置から受信された、前記第１の基本設定データに基づいて再計算された第３の作業データに計算結果が含まれている場合に、前記受信された第３の作業データと前記第１の作業データとを比較した比較結果を出力する
ことを特徴とする請求項９に記載の通信方法。
【請求項１１】
情報表示装置を制御するための情報表示方法であって、
第２の作業データを記憶し、
第１の作業データを記憶している通信機器から前記第２の作業データの送信依頼を受信し、
前記送信依頼の受信に応じて、前記記憶された第２の作業データを前記通信機器に送信し、
前記通信機器に送信した第２の作業データが計算結果を含み且つ前記第１の作業データと異なる場合に、前記通信機器から前記記憶した第２の作業データを前記第１の作業データに対応させて変更するための変更データを受信し、
前記通信機器に送信した第２の作業データが計算結果を含み且つ前記第２の作業データに含まれる第２の基本設定データが前記第１の作業データに含まれる第１の基本設定データと異なる場合に、前記通信機器から受信した前記変更データにより前記第１の基本設定データに対応して変更された前記第２の基本設定データに基づいて再計算を行って、計算結果データの第３の作業データを前記通信機器に送信する
ことを特徴とする情報表示方法。
【請求項１２】
通信機器のコンピュータを制御するためのプログラムであって、
前記コンピュータを、
計算結果を含む第１の作業データを記憶している第１作業データ記憶手段と、
情報表示装置から第２の作業データを受信する作業データ受信手段と、
前記作業データ受信手段により受信された第２の作業データに計算結果が含まれている場合に、前記受信された第２の作業データと前記第１の作業データとを比較した比較結果を出力する比較結果出力手段と、
前記作業データ受信手段により受信された第２の作業データに計算結果が含まれていない場合に、前記計算結果が含まれていないことに対応した情報を報知する作業中報知手段、
として機能させるためのコンピュータ読み込み可能なプログラム。
【請求項１３】
前記コンピュータを、
前記比較結果出力手段は、前記受信された第２の作業データと前記第１の作業データとを比較した比較結果として、前記第２の作業データに含まれる第２の基本設定データが前記第１の作業データに含まれる第１の基本設定データと異なる場合に、前記第１の基本設定データを前記情報表示装置に送信する基本設定データ送信手段、
として更に機能させ、
前記比較結果出力手段は、前記作業データ受信手段により前記情報表示装置から受信された、前記基本設定データ送信手段により送信された前記第１の基本設定データに基づいて再計算された第３の作業データに計算結果が含まれている場合に、前記受信された第３の作業データと前記第１の作業データとを比較した比較結果を出力させるように機能させる
請求項１２に記載のプログラム。
【請求項１４】
情報表示装置のコンピュータを制御するためのプログラムであって、
前記コンピュータを、
第２の作業データを記憶している作業データ記憶手段と、
第１の作業データを記憶している通信機器から前記第２の作業データの送信依頼を受信する送信依頼受信手段と、
前記送信依頼受信手段による送信依頼の受信に応じて、前記作業データ記憶手段に記憶された第２の作業データを前記通信機器に送信する作業データ送信手段と、
前記作業データ送信手段により前記通信機器に送信した第２の作業データが計算結果を含み且つ前記第１の作業データと異なる場合に、前記通信機器から前記作業データ記憶手段により記憶した第２の作業データを前記第１の作業データに対応させて変更するための変更データを受信する変更データ受信手段、
として機能させ、
前記作業データ送信手段により前記通信機器に送信した第２の作業データが計算結果を含み且つ前記第２の作業データに含まれる第２の基本設定データが前記第１の作業データに含まれる第１の基本設定データと異なる場合に、前記通信機器から受信した前記変更データにより前記第１の基本設定データに対応して変更された前記第２の基本設定データに基づく再計算の計算結果データである第３の作業データを前記作業データ送信手段により前記通信機器に送信させる
ためのコンピュータ読み込み可能なプログラム。
【発明の詳細な説明】
【技術分野】
【０００１】
本発明は、情報表示装置の作業データを正誤判定するための通信機器、情報表示装置、通信方法、情報表示方法、及びプログラムに関する。
【背景技術】
【０００２】
従来、教育現場において、ＩＴ技術を活用し、生徒の端末からサーバに送信した回答を、当該サーバにより正誤判定するシステムがある。
【０００３】
また、テスト結果を基に、自分の間違った問題に関する辞書の説明情報を効率良く学習することができる情報表示制御装置が考えられている（例えば、特許文献１参照。）。
【先行技術文献】
【特許文献】
【０００４】
【特許文献１】特開２００５−１８９７０５号公報
【発明の概要】
【発明が解決しようとする課題】
【０００５】
従来のシステムは、教室内の全生徒が出した回答について効率よく正誤判定することができるものの、例えば、授業の小テスト等において、教師が生徒の回答作業を個別に確認しながら適切な指導を行なう際に利用しやすいシステムではなかった。
【０００６】
本発明は、このような課題に鑑みなされたもので、生徒等の回答者の回答作業の進捗に応じて、適切な情報を出力することが可能になる通信機器、情報表示装置、通信方法、情報表示方法、及びプログラムを提供することを目的とする。
【課題を解決するための手段】
【０００７】
本発明に係る通信機器は、計算結果を含む第１の作業データを記憶している第１作業データ記憶手段と、情報表示装置から第２の作業データを受信する作業データ受信手段と、前記作業データ受信手段により受信された第２の作業データに計算結果が含まれている場合に、前記受信された第２の作業データと前記第１の作業データとを比較した比較結果を出力する比較結果出力手段と、前記作業データ受信手段により受信された第２の作業データに計算結果が含まれていない場合に、前記計算結果が含まれていないことに対応した情報を報知する作業中報知手段と、を備えたことを特徴としている。
【０００８】
本発明に係る情報表示装置は、第２の作業データを記憶している作業データ記憶手段と、第１の作業データを記憶している通信機器から前記第２の作業データの送信依頼を受信する送信依頼受信手段と、前記送信依頼受信手段による送信依頼の受信に応じて、前記作業データ記憶手段に記憶された第２の作業データを前記通信機器に送信する作業データ送信手段と、前記作業データ送信手段により前記通信機器に送信した第２の作業データが計算結果を含み且つ前記第１の作業データと異なる場合に、前記通信機器から前記作業データ記憶手段により記憶した第２の作業データを前記第１の作業データに対応させて変更するための変更データを受信する変更データ受信手段と、を備え、前記作業データ送信手段により前記通信機器に送信した第２の作業データが計算結果を含み且つ前記第２の作業データに含まれる第２の基本設定データが前記第１の作業データに含まれる第１の基本設定データと異なる場合に、前記通信機器から受信した前記変更データにより前記第１の基本設定データに対応して変更された前記第２の基本設定データに基づいて再計算を行って、計算結果データの第３の作業データを前記作業データ送信手段により前記通信機器に送信することを特徴としている。
【発明の効果】
【０００９】
本発明によれば、生徒等の回答者の回答作業の進捗に応じて、適切な情報を出力することが可能になる。
【図面の簡単な説明】
【００１０】
【図１】本発明の実施形態に係る情報表示装置としての関数電卓１０Ｆと通信機器としてのタブレット端末２０の利用形態を示す模式図。
【図２】前記情報表示装置（１０Ｆ／１０Ｄ）と通信機器２０との間で使用する無線通信手段の実施例を示す図。
【図３】前記情報表示装置としての関数電卓１０Ｆの電子回路の構成を示すブロック図。
【図４】前記通信機器２０の電子回路の構成を示すブロック図。
【図５】前記関数電卓１０Ｆの情報表示制御処理を示すフローチャートであり、同図（Ｂ）は当該情報表示制御処理に対する通信割込み処理を示すフローチャート。
【図６】前記タブレット端末２０の専用アプリケーションプログラムに従った通信処理（その１）を示すフローチャート。
【図７】前記タブレット端末２０の専用アプリケーションプログラムに従った通信処理（その２）を示すフローチャート。
【図８】前記関数電卓１０Ｆ（教師用１０ＦＡ）の情報表示制御処理に従った基本計算モードでの動作状態とタブレット端末２０の動作状態を示す図。
【図９】前記関数電卓１０Ｆ（生徒用１０ＦＢ）の情報表示制御処理に従った各生徒（１，２）の操作（実施例１）に応じた動作状態とタブレット端末２０の動作状態を示す図。
【図１０】前記関数電卓１０Ｆ（教師用１０ＦＡ）の情報表示制御処理に従った表計算モードでの動作状態とタブレット端末２０の動作状態を示す図。
【図１１】前記教師用の関数電卓１０ＦＡにより表計算モードで作成する問題に応じた正解データＳＤを示す図。
【図１２】前記関数電卓１０Ｆ（生徒用１０ＦＢ）の情報表示制御処理に従った各生徒（１，２）の操作（実施例２）に応じた動作状態とタブレット端末２０の動作状態を示す図。
【発明を実施するための形態】
【００１１】
以下図面により本発明の実施の形態について説明する。
【００１２】
図１は、本発明の実施形態に係る情報表示装置としての関数電卓１０Ｆと通信機器としてのタブレット端末２０の利用形態を示す模式図である。
【００１３】
前記関数電卓１０Ｆは、図１（Ａ）に示すように、その携帯性の必要からユーザが片手で十分把持し片手で操作可能な小型サイズからなり、この関数電卓１０Ｆの本体正面にはキー入力部１１および表示出力部１２が設けられる。
【００１４】
前記キー入力部１１には、数値や数式を入力したり計算の実行を指示したりするための数値・演算記号キー群１１１、各種の関数を入力したりメモリ機能を立ち上げたりするための関数機能キー群１１２、各種動作モードのメニュー画面を表示させたり動作モードの設定を指示したりするためのモード設定キー群１１３、前記表示出力部１２に表示されたカーソルの移動操作やデータ項目の選択操作などを行うためのカーソルキー１１４が備えられる。
【００１５】
前記数値・演算記号キー群１１１としては、［０］〜［９］（数値）キー、［＋］［−］［×］［÷］（四則記号）キー、［Ａｎｓ］［＝］（実行）キー、［ＡＣ］（クリア）キーなどが配列される。
【００１６】
前記関数機能キー群１１２としては、［ｘ-1］（−１乗；逆数）キーをはじめ、［√□］（ルート）キー、［□／□］（分数）キー、［ｓｉｎ］（サイン）キー、［Ｍ＋］（メモリプラス）キー、［ＯＰＴＮ］（オプション）キー、［ＲＣＬ］（メモリ呼び出し）キーなどが配列される。
【００１７】
前記モード設定キー群１１３としては、［ＭＯＤＥ］（モード）キー、［ＳＨＩＦＴ］（シフト）キー、［ＡＬＰＨＡ］（アルファベット）キー、［ＯＮ］（電源オン）キーなどが配列される。
【００１８】
なお、前記数値・演算記号キー群１１１や関数機能キー群１１２のキーは、［ＳＨＩＦＴ］キーが操作された後に続けて操作されることで、そのキートップに記載されたキー機能ではなく、そのキーの上方に記載されたキーとして機能できるようになっている。例えば、［ＳＨＩＦＴ］キー操作後に［ＡＣ］キーが操作（以下、［ＳＨＩＦＴ］＋［ＡＣ］キー等と記す。）されると［ＯＦＦ］（電源オフ）キーとなる。［ＳＨＩＦＴ］＋［ＯＰＴＮ］キーは［ＱＲ／通信］キー１１Ｑとなり、［ＳＨＩＦＴ］＋［ＲＣＬ］キーは［ＳＴＯ］（メモリ登録）キーとなる。
【００１９】
前記表示出力部１２は、ドットマトリクス型の液晶表示ユニットからなる。
【００２０】
前記タブレット端末２０は、図１（Ｂ）に示すように、カメラ付きのタブレット端末２０であり、タッチ入力部としても機能する表示出力部２１を備えている。
【００２１】
前記関数電卓１０Ｆは、無線通信手段を有し、前記タブレット端末２０からの指示に応じて、当該関数電卓１０Ｆにおける作業データを前記タブレット端末２０に送信する機能、前記タブレット端末２０から送信された前記作業データの変更の指示に応じて当該作業データを変更して表示する機能を備えている。
【００２２】
前記作業データは、前記関数電卓１０Ｆの計算機能に基づき設定された計算モード，角度モード，丸めモードを含む設定データと、ユーザ操作に応じて入力された計算式，数値（表）を含む入力データと、計算結果データとを含んでいる。なお、前記設定データのうち、前記計算モードを除く角度モード，丸めモード等の設定データは、基本設定データと呼称する。
【００２３】
また、前記関数電卓１０Ｆは、前記［ＱＲ／通信］キー１１Ｑの操作に応じて、前記作業データを２次元コード（ＱＲコード（登録商標））Ｑ（図３参照）に変換して表示させる機能を備えている。
【００２４】
前記タブレット端末２０は、無線通信手段を有し、前記関数電卓１０Ｆから受信した作業データを正解データとして保存する機能、当該保存された正解データに対応して前記関数電卓１０Ｆから受信した作業データを前記正解データと比較して正誤判定し、正誤判定の結果を表示させる機能、前記正解データに対応して前記関数電卓１０Ｆから受信した作業データに含まれる設定データ、入力データ、計算結果データが異なる場合に当該異なる作業データの変更を前記関数電卓１０Ｆに指示する機能を備えている。
【００２５】
また、前記タブレット端末２０は、前記関数電卓１０Ｆに表示された２次元コード（ＱＲコード）Ｑ（図４参照）を撮影し、当該２次元コードに対応した作業データを保存する機能も備えている。
【００２６】
さらに、前記タブレット端末２０は、前記保存された作業データを通信ネットワーク（Ｗｅｂ）Ｎ上の計算サーバ３０（図３，図４参照）に送信し、当該計算サーバ３０により前記作業データに応じて作成された計算参考情報としての画像データを受信して表示する機能を備えている。
【００２７】
なお、前記情報表示装置は、前記関数電卓１０Ｆに限定されるものではなく、電子辞書装置１０Ｄ（図２（Ｂ）参照）等として構成され得る。
【００２８】
前記電子辞書装置１０Ｄの作業データは、当該電子辞書装置１０Ｄの検索モード（英和検索／和英検索／英英検索／ジャンプ検索等）を含む設定データと、ユーザ操作に応じて入力された辞書，検索語を含む入力データ、前記入力データに応じて辞書検索された検索結果データとを含んでいる。
【００２９】
また、前記通信機器は、前記タブレット端末２０に限定されるものではなく、ＰＤＡ（personal digital assistants）、スマートフォン、ノートＰＣ（personal computer）、ゲーム機等として構成され得る。
【００３０】
次に、前記情報表示装置としての関数電卓１０Ｆや電子辞書装置１０Ｄと、前記通信機器２０との間で通信接続を行なうための無線通信手段について説明する。
【００３１】
図２は、前記情報表示装置（１０Ｆ／１０Ｄ）と通信機器２０との間で使用する無線通信手段の実施例を示す図である。
【００３２】
前記無線通信手段としては、図２（Ａ）に示すようなBluetooth(登録商標)等の近距離無線通信、図２（Ｂ）に示すようなＮＦＣ等の近距離無線通信、図２（Ｃ）に示すようなＷｉｆｉ（登録商標）等の無線ＬＡＮによる近距離無線通信、その他の近距離無線通信の何れを使用してもよい。
【００３３】
前記図２（Ａ）で示すBluetooth等の近距離無線通信を使用した場合、前記情報表示装置（１０Ｆ）の所定のキー（ボタン）を押下して周辺にある通信機器２０への無線による呼掛けを行なう。すると、前記通信機器２０において、通信可能な前記情報表示装置（１０Ｆ）を含む相手機器が一覧表示され、前記一覧表示された相手機器の中から前記情報表示装置（１０Ｆ）を選択して指定“Ｔａｐ”することで、前記情報表示装置（１０Ｆ）と通信機器２０とのペアリングが実行され互いに通信接続Ｐされる。
【００３４】
また、前記図２（Ｂ）で示すＮＦＣ等の近距離無線通信は、通信機器２０からの磁界に応じた誘導電流により無線通信を行なう無線通信手段である。
【００３５】
例えば、前記情報表示装置（電子辞書装置１０Ｄ）に内蔵したＮＦＣタグには、前記通信機器２０の近距離無線通信部（無線リーダ・ライタ）２８から発生される磁界Ｗｍに応じて誘導電流が流れるコイルアンテナＡＴと、前記コイルアンテナＡＴに流れる誘導電流を起電力として動作するＩＣチップＩＴとが備えられる。前記情報表示装置（電子辞書装置１０Ｄ）のＣＰＵ１３は、前記ＮＦＣタグのＩＣチップＩＴと有線接続され、前記ＩＣチップＩＴのデータを直接読み書きできる有線リーダ・ライタ機能を備える。これにより、前記情報表示装置（電子辞書装置１０Ｄ）のＮＦＣタグと前記通信機器２０の近距離無線通信部（無線リーダ・ライタ）２８との間で無線通信Ｓｉが行われる。
【００３６】
また、前記図２（Ｃ）で示すＷｉｆｉ等の無線ＬＡＮによる近距離無線通信を使用した場合、ＷｉｆｉルータＲｗにより無線ＬＡＮに接続された各通信機器（情報表示装置１０Ｆ／通信機器２０／パーソナルコンピュータＰＣ／ゲーム機ＨＧ等）のうち、例えば予め設定された相手の通信機器とのみペアリングが実行され互いに通信接続Ｐされるか、相手の通信機器と軽くぶつける等の衝撃を検知して相手の通信機器とのペアリングが実行され互いに通信接続Ｐされる。
【００３７】
図３は、前記情報表示装置としての関数電卓１０Ｆの電子回路の構成を示すブロック図である。
【００３８】
なお、前記情報表示装置としての電子辞書装置１０Ｄの電子回路の説明は、本実施形態に関わる部分について、前記関数電卓１０Ｆの電子回路と略同様であるため省略する。
【００３９】
前記関数電卓１０Ｆの電子回路は、前記キー入力部１１及び前記表示出力部１２に加えて、コンピュータである前記ＣＰＵ１３と、メモリ１４と、記録媒体読取部１５と、無線通信部１６とを備えている。
【００４０】
前記ＣＰＵ１３は、前記メモリ１４に記憶されている表示制御プログラム１４ａに従い回路各部の動作を制御し、前記キー入力部１１からのキー入力信号に応じた各種の演算処理を実行する。前記表示制御プログラム１４ａは、前記メモリ１４に予め記憶されていても良いし、あるいはメモリカード等の外部記録媒体Ｍから前記記録媒体読取部１５を介して前記メモリ１４に読み込まれて記憶されたものであっても良い。前記表示制御プログラム１４ａは、ユーザがキー入力部１１の操作によって書き換えできないようになっている。
【００４１】
前記メモリ１４には、さらに、ユーザ書き換え不可能な情報として、固有ＩＤ１４ｂも記憶される。前記固有ＩＤ１４ｂは、各関数電卓１０Ｆ…に独特なＩＤ（識別情報）である。
【００４２】
前記メモリ１４には、このようなユーザ書き換え不可能な情報の他に、ユーザが書き換え可能なデータを記憶するために、設定データエリア１４ｃ、入力データエリア１４ｄ、計算結果データエリア１４ｅが確保されている。
【００４３】
前記設定データエリア１４ｃには、初期設定又はユーザ操作に応じて設定された計算モード（基本計算／数表計算／行列計算／統計計算等）、角度モード（度数法（Ｄ）／弧度法（Ｒ）／グラード（Ｇ））、丸めモード（小数点以下桁数四捨五入（Ｆｉｘ）、有効桁数（Ｓｃｉ）等）、表示モード（数式自然表示／ライン表示）を含む設定データが記憶される。
【００４４】
前記入力データエリア１４ｄには、前記キー入力部１１によりキー入力されたキーコードのデータが順次入力され、これにより構成される計算式、数値（表）、変数等の入力データが記憶される。例えば数値キーは数字を示すコードで、「ｓｉｎ」などの関数キーはその関数を示すコードで、「＋」「−」「×」「÷」などの算術記号キーはその算術記号を示すコードで記憶される。また、前記入力データエリア１４ｄには、Ａ，Ｂ，Ｃ，Ｄ，Ｅ，Ｆ，Ｍ，Ｘ，Ｙの９つの文字に対して個別に登録される異なる数値などの変数も記憶される。例えば、前記キー入力部１１の［３］キー，［ＳＨＩＦＴ］＋［ＲＣＬ］キー（＝［ＳＴＯ］キー），［（−）］キー（＝［Ａ］キー）というキー操作を行うことで変数Ａに数値「３」が登録される。
【００４５】
前記計算結果データエリア１４ｅには、前記設定データと入力データに応じて計算実行された計算結果データが記憶される。
【００４６】
前記無線通信部１６は、前記図２を参照して説明したように、Bluetooth、ＮＦＣ、Ｗｉｆｉ等の前記通信機器２０と無線通信する機能を備えている。
【００４７】
このように構成された前記情報表示装置としての関数電卓１０Ｆは、前記ＣＰＵ１３が前記表示制御プログラム１４ａに記述された命令に従い回路各部の動作を制御し、ソフトウエアとハードウエアとが協働して動作することにより、後述の動作説明で述べるような各種の機能を実現する。
【００４８】
前記通信機器２０は、前記関数電卓１０Ｆの無線通信部１６と近距離無線通信により通信接続して前記関数電卓１０Ｆから送信された作業データを受信して保存する。また、前記関数電卓１０Ｆの表示出力部１２に表示出力された２次元コードＱを撮影することで、前記関数電卓１０Ｆの作業データを取得して保存する。
【００４９】
図４は、前記通信機器２０の電子回路の構成を示すブロック図である。
【００５０】
前記通信機器２０の電子回路は、前記表示出力部２１、前記近距離無線通信部２８に加えて、コンピュータであるＣＰＵ２２と、メモリ２３と、記録媒体読取部２４と、前記表示出力部２１に重ねて一体化したタッチ入力部２５と、カメラ部２６と、無線通信部２７とを備えている。なお、前記タッチ入力部２５は電源キー等のキー入力部を含んでも良い。
【００５１】
前記ＣＰＵ２２は、前記メモリ２３に記憶されている通信機器制御プログラム２３ａ、ＱＲコードリーダプログラム２３ｂ、ＥＤＵＣＡＴＩＯＮプログラム２３ｃに従い、前記タッチ入力部２５からのタッチ（又はキー）入力信号、あるいは前記無線通信部２７や前記近距離無線通信部２８による受信信号に応じて回路各部の動作を制御する。前記各プログラム２３ａ，２３ｂ，２３ｃは、前記メモリ２３に予め記憶されていても良いし、あるいはメモリカード等の外部記録媒体Ｍから前記記録媒体読取部２４を介して前記メモリ２３に読み込まれて記憶されたものであっても良い。
【００５２】
前記ＱＲコードリーダプログラム２３ｂは、前記２次元コードＱ（本実施形態ではＱＲコード）を撮影し、撮影した２次元コードＱのデータ（ＱＲデータ：本実施形態では作業データ）を取得するための汎用のアプリケーションプログラムである。
【００５３】
前記ＥＤＵＣＡＴＩＯＮプログラム２３ｃは、前記関数電卓１０Ｆと前記近距離無線通信部２８により通信接続して当該関数電卓１０Ｆから受信された作業データ（又は前記２次元コード（ＱＲコード）の撮影に基づき取得された作業データ）を正解データとして保存したり、当該保存された正解データに対応して前記関数電卓１０Ｆから受信された作業データを前記正解データと比較して正誤判定し、正誤判定の結果を表示したり、前記正解データに対応して前記関数電卓１０Ｆから受信した作業データに含まれる設定データ、入力データ、計算結果データが異なる場合に当該異なる作業データの変更を前記関数電卓１０Ｆに指示したり、前記関数電卓１０Ｆから取得された作業データを前記計算サーバ３０に送信し、当該計算サーバ３０により前記送信した作業データに応じて作成された計算参考情報としての画像データを受信して表示出力したりするための専用のアプリケーションプログラムである。
【００５４】
前記メモリ２３には、前記ＥＤＵＣＡＴＩＯＮプログラム２３ｃに従い前記関数電卓１０Ｆから取得された作業データを正解データとして、当該関数電卓１０Ｆのユーザ名と固有ＩＤに対応付けて記憶して保存するバックアップデータエリア２３ｄ、その他の作業データを必要に応じて一時的に記憶するワークデータエリア２３ｅが確保される。
【００５５】
このように構成された前記通信機器２０は、前記ＣＰＵ２２が前記通信機器制御プログラム２３ａ、前記ＱＲコードリーダプログラム２３ｂ、前記ＥＤＵＣＡＴＩＯＮプログラム２３ｃに記述された命令に従い回路各部の動作を制御し、ソフトウエアとハードウエアとが協働して動作することにより、後述の動作説明で述べるような各種の機能を実現する。
【００５６】
次に、前記構成の情報表示装置としての関数電卓１０Ｆと通信機器としてのタブレット端末２０の動作について説明する。
【００５７】
図５は、前記関数電卓１０Ｆの情報表示制御処理を示すフローチャートであり、同図（Ｂ）は当該情報表示制御処理に対する通信割込み処理を示すフローチャートである。
【００５８】
図６、図７は、前記タブレット端末２０の専用アプリケーションプログラムに従った通信処理（その１、その２）を示すフローチャートである。
【００５９】
（実施例１）
先ず、教師用の関数電卓（情報表示装置）１０ＦＡにより基本計算モードで作成した作業データをタブレット端末（通信機器）２０により正解データとして保存する動作について説明する。
【００６０】
図８は、前記関数電卓１０Ｆ（教師用１０ＦＡ）の情報表示制御処理に従った基本計算モードでの動作状態とタブレット端末２０の動作状態を示す図である。
【００６１】
前記教師用の関数電卓１０ＦＡにおいて、図８（Ａ１）に示すように、計算モード設定画面Ｇ１の［１］を指定して計算モードを基本計算モードに設定し、図８（Ａ２）に示すように、角度モード設定画面Ｇ２の［２］を指定して角度モードを弧度法（Ｒ：Radian）に設定する。
【００６２】
また、図８（Ａ３）に示すように、変数「Ａ」として数値「２」を入力し、図８（Ａ４）に示すように、積分の計算式「∫(0-π/2A)ｃｏｓ（Ａｘ）ｄｘ」を入力して表示させる。前記計算モード［基本計算モード］、角度モード［Ｒ］の設定データは、前記設定データエリア１４ｃに記憶され、前記入力された変数の数値「Ａ（＝２）」、積分の計算式「∫(0-π/2A)ｃｏｓ（Ａｘ）ｄｘ」は、入力データエリア１４ｄに記憶される（ステップＳ１〜Ｓ４）。
【００６３】
ここで、［＝］キーの操作により前記設定データエリア１４ｃに記憶された設定データと前記入力データエリア１４ｄに記憶された入力データとに応じた計算が実行されると、前記変数の数値「Ａ（＝２）」を前記積分の計算式に代入して計算された計算結果データ「１／２」が表示出力部１２に表示される（ステップＳ５，Ｓ６）。
【００６４】
ここで、前記計算式や数値の内容を変えて計算処理を行なう場合（ステップＳ７（Ｎｏ））は、前記ステップＳ４〜Ｓ６の処理が繰り返される。
【００６５】
こうして、前記教師用の関数電卓１０ＦＡにより計算処理した前記設定データと入力データと計算結果データを含む作業データを正解データとして前記タブレット端末２０に保存するため、図８（Ｂ１）に示すように、前記タブレット端末２０において、専用アプリ選択画面Ｇｅに表示されたＥＤＵＣＡＴＩＯＮアイコンＣｅをタッチ操作して前記専用アプリケーションプログラム（ＥＤＵＣＡＴＩＯＮプログラム２３ｃ）を起動させる。
【００６６】
すると、前記タブレット端末２０において、図６，図７で示す通信処理が開始され、「正解データ受信処理」と「ベリファイ（照合）処理」の選択項目を並べた動作選択メニュー（図示せず）が表示される（ステップＴ１／Ｔ９）。
【００６７】
前記タブレット端末２０で表示された動作選択メニューにおいて、前記「正解データ受信処理」が選択され、図８（Ｂ２）に示すように、当該タブレット端末２０を前記教師用の関数電卓１０ＦＡに接近させて通信接続させると（ステップＴ１（Ｙｅｓ））、当該タブレット端末２０から前記教師用の関数電卓１０ＦＡに対して、正解（模範）データとなる作業データの送信依頼が送信される（ステップＴ２）。
【００６８】
前記教師用の関数電卓１０ＦＡにおいて、前記タブレット端末２０から送信された正解（模範）データとなる作業データの送信依頼が受信されると（ステップＤ１（Ｙｅｓ））、当該関数電卓１０ＦＡの固有ＩＤを対応付けて、前記設定データエリア１４ｃに記憶されている計算モード［基本計算］，角度モード［ＲＡＤ］等の設定データと、前記入力データエリア１４ｄに記憶されている積分の計算式，変数の数値等の入力データと、前記計算結果データエリア１４ｅに記憶されている計算結果データとを含む作業データが前記タブレット端末２０に送信される（ステップＤ２）。
【００６９】
前記タブレット端末２０において、前記教師用の関数電卓１０ＦＡから送信された固有ＩＤと作業データが受信されると（ステップＴ３）、受信完了メッセージｍが表示され、当該受信された前記関数電卓１０ＦＡの固有ＩＤに対応するユーザ名が前記メモリ２３内に既に登録されているか否か判断される（ステップＴ４）。
【００７０】
前記教師用の関数電卓１０ＦＡの固有ＩＤに対応するユーザ名が前記メモリ２３内に登録されていないと判断されると（ステップＴ４（Ｎｏ））、ユーザ操作に応じて入力された前記教師用の関数電卓１０ＦＡのユーザ名（例えば「まりこ先生」）が前記受信された当該関数電卓１０ＦＡの固有ＩＤと対応付けて前記メモリ２３内に登録される（ステップＴ５，Ｔ６）。
【００７１】
すると、前記教師用の関数電卓１０ＦＡから受信された固有ＩＤと前記ユーザ名と受信日時とに対応付けて、前記受信された作業データが、前記バックアップデータエリア２３ｄに正解データＸ１として記憶され保存される（ステップＴ７）。
【００７２】
なお、前記バックアップデータエリア２３ｄは、前記通信ネットワーク（Ｗｅｂ）Ｎ上にある計算サーバ３０のメモリエリアに確保してもよい。その場合、必要に応じて計算サーバ３０のメモリエリアから前記受信された作業データをダウンロードしてタブレット端末２０のワークエリアに一時保存して利用する。また予め正解データＸ１を含む複数のバックアップデータ（正解データである作業データ）が計算サーバ３０に登録されており、その中から任意に選択して利用するようにしてもよい。
【００７３】
このように、前記教師用の関数電卓１０ＦＡから受信された作業データが前記バックアップデータエリア２３ｄに正解データとして保存されると、図８（Ｂ３）に示すように、当該バックアップデータエリア２３ｄに保存された正解データＸ１を含むバックアップデータ一覧ＬＢが、ユーザ名と受信日時とに対応付けられて表示される（ステップＴ８）。
【００７４】
ここで、前記教師は生徒に対して、前記図８（Ａ１）〜（Ａ４）で行った積分の計算を生徒の関数電卓１０ＦＢでも行なうように問題を出す。
【００７５】
次に、生徒用の関数電卓（情報表示装置）１０ＦＢ（生徒１の関数電卓１０ＦＢ１／生徒２の関数電卓１０ＦＢ２とする）により回答した作業データを、前記タブレット端末２０に保存した正解（模範）データに基づいて、正誤判定する動作について説明する。
【００７６】
図９は、前記関数電卓１０Ｆ（生徒用１０ＦＢ）の情報表示制御処理に従った各生徒（１，２）の操作（実施例１）に応じた動作状態とタブレット端末２０の動作状態を示す図である。
【００７７】
前記生徒１用の関数電卓１０ＦＢ１において、図９（Ａ１）に示すように、基本計算モードで角度モードが度数法（Ｄ：Degree）に初期設定されているまま、変数「Ａ」として数値「２」を入力し、図９（Ａ２）に示すように、積分の計算式「∫(0-π/2A)ｃｏｓ（Ａｘ）ｄｘ」を入力して表示させる。前記計算モード［基本計算モード］、角度モード［Ｄ］の設定データは、前記設定データエリア１４ｃに記憶され、前記入力された変数の数値「Ａ（＝２）」、積分の計算式「∫(0-π/2A)ｃｏｓ（Ａｘ）ｄｘ」は、入力データエリア１４ｄに記憶される（ステップＳ１〜Ｓ４）。
【００７８】
ここで、図９（Ａ３）に示すように、［＝］キーの操作により前記設定データエリア１４ｃに記憶された設定データと前記入力データエリア１４ｄに記憶された入力データとに応じた計算が実行されると、前記変数の数値「Ａ（＝２）」を前記積分の計算式に代入して前記角度モード［Ｄ］で計算された計算結果データ「０．７８５２…」が表示出力部１２に表示される（ステップＳ５，Ｓ６）。
【００７９】
このように、前記生徒１用の関数電卓１０ＦＢ１により前記教師の出した問題に対する回答としての計算処理が行われる過程において、前記タブレット端末２０により前記回答の正誤判定を行なうため、図９（Ｂ１）に示すように、前記専用アプリケーションプログラム（ＥＤＵＣＡＴＩＯＮプログラム２３ｃ）を起動させ、表示出力部２１に表示された動作選択メニュー（図示せず）から「ベリファイ（照合）処理」が選択される（ステップＴ９（Ｙｅｓ））。
【００８０】
すると、前記バックアップデータエリア２３ｄに保存されている正解データの一覧が、バックアップデータ一覧ＬＢとして表示出力部２１に表示され、正解データの選択を促すメッセージ「電卓の計算データを正誤判定します。正解データを選択してください。」ｍ１が表示される（ステップＴ１０）。
【００８１】
前記バックアップデータ一覧ＬＢとして表示された正解データの中から、前記生徒１用の関数電卓１０ＦＢ１の回答を正誤判定したい問題の正解データ（ここでは、まりこ先生の［正解］20160215:1015）Ｘ１を選択して指定し、図９（Ｂ２）に示すように、当該タブレット端末２０を前記生徒１用の関数電卓１０ＦＢ１に接近させて通信接続させる（ステップＴ１１）。
【００８２】
すると、前記タブレット端末２０から前記生徒１用の関数電卓１０ＦＢ１に対して、ベリファイ（照合）通知（ベリファイ（照合）のための作業データの送信依頼）が行われる（ステップＴ１２）。
【００８３】
前記生徒１用の関数電卓１０ＦＢ１において、前記タブレット端末２０からのベリファイ（照合）通知が受信されると（ステップＤ３（Ｙｅｓ））、当該関数電卓１０ＦＢ１の固有ＩＤを対応付けて、前記設定データエリア１４ｃに記憶されている計算モード［基本計算］，角度モード［ＤＥＧ］等の設定データと、前記入力データエリア１４ｄに記憶されている積分の計算式，変数の数値等の入力データと、前記計算結果データエリア１４ｅに記憶されている計算結果データとを含む作業データが前記タブレット端末２０に送信される（ステップＤ４）。
【００８４】
前記タブレット端末２０において、前記生徒１用の関数電卓１０ＦＢ１から送信された固有ＩＤと作業データが受信されると（ステップＴ１３）、当該受信した作業データ（受信データ）に計算結果データが含まれるか否か判断される（ステップＴ１４）。
【００８５】
ここで、前記生徒１用の関数電卓１０ＦＢ１において、例えば前記図９（Ａ２）に示した計算処理の回答途中で、前記タブレット端末２０によるベリファイ（照合）処理の正誤判定を行なおうとした場合には、前記受信データに計算結果データが含まれない、つまり、前記生徒１用の関数電卓１０ＦＢ１による回答のための計算処理は完了していないと判断される（ステップＴ１４（Ｎｏ））。
【００８６】
この場合、図９（Ｂ３）に示すように、前記タブレット端末２０の表示出力部２１には、前記生徒１用の関数電卓１０ＦＢ１について前記受信データに計算結果データが含まれないことに対応する情報として、計算途中であることの報知メッセージ「電卓はデータの入力中です。計算結果の算出後に、正誤判定します。」ｍ２が表示される（ステップＴ１５）。なおこの情報は、「入力中」以外に例えば「作業中、回答中、未回答状態、等の種々の情報を表示や音声で報知しても良い。
【００８７】
これにより、前記生徒１用の関数電卓１０ＦＢ１に対して、前記タブレット端末２０によるベリファイ（照合）処理の正誤判定を行なおうとした教師は、当該生徒１が未だ回答操作の途中であることを容易に確認できるようになる。
【００８８】
一方、前記図９（Ａ３）で示したように、前記生徒１用の関数電卓１０ＦＢ１による回答のための計算処理が完了した状態で、図９（Ｂ２）で示したように、前記生徒１用の関数電卓１０ＦＢ１に前記タブレット端末２０を通信接続させて、当該タブレット端末２０によるベリファイ（照合）処理の正誤判定を行なおうとした場合には（ステップＴ９〜Ｔ１２（ステップＤ３，Ｄ４））、前記関数電卓１０ＦＢ１からの受信データに計算結果データが含まれると判断される（ステップＴ１４（Ｙｅｓ））。
【００８９】
すると、前記タブレット端末２０において、前記受信データに含まれる設定データの計算モードと、前記バックアップデータ一覧ＬＢにて指定した正解データに含まれる設定データの計算モードとが比較されて同じか否か判断され（ステップＴ１６）、何れも同じ基本計算モードであると判断される（ステップＴ１６（Ｙｅｓ））。
【００９０】
すると、前記受信データに含まれる基本設定データ（角度モード、丸めモード他）と、前記正解データに含まれる基本設定データとが比較されて同じか否か判断され（ステップＴ２０）、前記受信データに含まれる角度モードは度数法［ＤＥＧ］であり、前記正解データに含まれる角度モードの弧度法［ＲＡＤ］と異なると判断される（ステップＴ２０（Ｎｏ））。
【００９１】
すると、図９（Ｂ４）に示すように、前記受信データの固有ＩＤに対応付けられて登録されている前記生徒１用の関数電卓１０ＦＢ１のユーザ名「あきら」と、前記正解データの角度モード［ＲＡＤ］と異なると判断された前記受信データの角度モード［ＤＥＧ］とに基づいて、前記受信データと正解データとの不一致を示すマーク［×］を表記して基本設定の修正を促す基本設定誤りメッセージ「あきらの回答を受信しました。角度設定が、ＤＥＧです。ＲＡＤに修正しますか？「はい」「いいえ」」ｍ３が表示される（ステップＴ２１）。
【００９２】
前記基本設定誤りメッセージｍ３の表示において、「はい」がタッチ操作されることで、前記生徒１用の関数電卓１０ＦＢ１の基本設定データを前記正解データの基本設定データに変更する指示が為されたと判断されると（ステップＴ２２（Ｙｅｓ））、当該正解データの基本設定データ（角度モード［ＲＡＤ］含む）が前記生徒１用の関数電卓１０ＦＢ１に設定変更データとして送信される（ステップＴ２３）。
【００９３】
前記生徒１用の関数電卓１０ＦＢ１において、前記タブレット端末２０から送信された設定変更データが受信されると（ステップＤ５（Ｙｅｓ））、当該設定変更データとして受信された前記正解データの基本設定データ（角度モード［ＲＡＤ］含む）が、前記設定データエリア１４ｃに設定されている基本設定データ（角度モード［ＤＥＧ］含む）に上書きされて設定（修正）される（ステップＤ６）。
【００９４】
すると、前記生徒１用の関数電卓１０ＦＢ１において、前記設定データエリア１４ｃに変更されて設定された前記正解データの基本設定データに応じた設定データ（角度モード［ＲＡＤ］を含む）と前記入力データエリア１４ｄに記憶されている入力データ（積分の計算式、変数の数値「Ａ＝２」、他）に基づいて再計算が実行される（ステップＳ５）。
【００９５】
そして、図９（Ａ４）に示すように、角度モード［ＲＡＤ］に変更して再計算された前記積分の計算式「∫(0-π/2A)ｃｏｓ（Ａｘ）ｄｘ」と計算結果「１／２」が表示される（ステップＳ６）。
【００９６】
ここで、前記タブレット端末２０において、前記同様に、前記生徒１用の関数電卓１０ＦＢ１と通信接続してベリファイ（照合）処理の正誤判定を行なうと（ステップＴ１２，Ｔ１３）、前記生徒１用の関数電卓１０ＦＢ１からの受信データと前記正解データの計算結果データとが比較され何れも同じ「１／２」と判断される（ステップＴ１４→Ｔ１６→Ｔ２０→Ｔ２４（Ｙｅｓ））。
【００９７】
すると、図９（Ｂ５）に示すように、前記受信データの固有ＩＤに対応付けられて登録されている前記生徒１用の関数電卓１０ＦＢ１のユーザ名「あきら」と、前記受信データと正解データとの一致を示すマーク［○］を表記した正解メッセージｍ４が表示される（ステップＴ２６）。
【００９８】
これにより、前記生徒１用の関数電卓１０ＦＢ１で行った回答のための計算操作が、前記角度モードの設定について誤っていた場合でも、当該関数電卓１０ＦＢ１に前記タブレット端末２０を近付けて通信接続し、前記ベリファイ（照合）処理の正誤判定を行なうだけで、何が誤りであるかを容易に確認して当該生徒１「あきら」を適切に指導できるばかりでなく、正しい設定データを送って正しい計算の内容で再計算を行わせることでき、当該再計算の結果についても容易に正誤判定して確認することができる。
【００９９】
また、前記生徒２用の関数電卓１０ＦＢ２により前記教師の出した問題（基本計算モードでの積分計算）に対する回答としての計算操作が行われたものの、図９（Ａ５）に示すように、前記基本計算モードとは異なる数表計算モードでの関数式ｆ（ｘ），ｇ（ｘ）の計算が行われた状態で、前記同様に、前記タブレット端末２０において、前記生徒２用の関数電卓１０ＦＢ２と通信接続してベリファイ（照合）処理の正誤判定を行なう（ステップＴ１２，Ｔ１３）。
【０１００】
すると、前記生徒２用の関数電卓１０ＦＢ２からの受信データに含まれる設定データの計算モード（表計算モード）は、前記正解データに含まれる設定データの計算モード（基本計算モード）と異なると判断される（ステップＴ１６（Ｎｏ））。
【０１０１】
すると、図９（Ｂ６）に示すように、前記受信データの固有ＩＤに対応付けられて登録されている前記生徒２用の関数電卓１０ＦＢ２のユーザ名「ひとみ」と、前記正解データの計算モード（基本計算モード）と異なると判断された前記受信データの計算モード（数表計算モード）とに基づいて、前記受信データと正解データとの不一致を示すマーク［×］を表記して計算モードの修正を促す計算モード誤りメッセージ「ひとみの回答を受信しました。計算モードが、数表計算モードです。基本計算モードに修正して正しい計算式を送信しますか？「はい」「いいえ」」ｍ５が表示される（ステップＴ１７）。
【０１０２】
前記計算モード誤りメッセージｍ５の表示において、「はい」がタッチ操作されることで、前記生徒２用の関数電卓１０ＦＢ２に対して前記正解データの計算モードと入力データを送信する指示が為されたと判断されると（ステップＴ１８（Ｙｅｓ））、当該正解データの計算モード（基本計算モード）と入力データ（積分の計算式、変数の数値「Ａ＝２」）が前記生徒２用の関数電卓１０ＦＢ２に設定変更データとして送信される（ステップＴ１９）。
【０１０３】
前記生徒２用の関数電卓１０ＦＢ２において、前記タブレット端末２０から送信された設定変更データが受信されると（ステップＤ５（Ｙｅｓ））、当該設定変更データとして受信された前記正解データの計算モード（基本計算モード）と入力データ（積分の計算式、変数の数値「Ａ＝２」）が、前記設定データエリア１４ｃに記憶されている設定データ（数表計算モードを含む）と前記入力データエリア１４ｄに記憶されている入力データ（ｆ（ｘ），ｇ（ｘ）の関数式を含む）に上書きされて設定（修正）される（ステップＤ６）。
【０１０４】
すると、前記生徒２用の関数電卓１０ＦＢ２において、図９（Ａ６）に示すように、前記設定データエリア１４ｃに変更されて設定された前記正解データの設定データ（数表計算モードを含む）と前記入力データエリア１４ｄに変更されて記憶された入力データ（積分の計算式、変数の数値「Ａ＝２」）に基づいた表示に変更され、再計算が実行される（ステップＳ５）。
【０１０５】
これにより、前記生徒２用の関数電卓１０ＦＢ２で行った回答のための計算操作が、前記計算モードの設定から誤っていた場合でも、当該関数電卓１０ＦＢ２に前記タブレット端末２０を近付けて通信接続し、前記ベリファイ（照合）処理の正誤判定を行なうだけで、何が誤りであるかを容易に確認して当該生徒２「ひとみ」を適切に指導できるばかりでなく、正しい設定データや入力データを送って当該生徒２「ひとみ」による回答操作の進捗を適切に支援することができる。
【０１０６】
（実施例２）
次に、前記教師用の関数電卓（情報表示装置）１０ＦＡにより表計算モードで作成した作業データを前記タブレット端末（通信機器）２０により正解データとして保存する動作について説明する。
【０１０７】
図１０は、前記関数電卓１０Ｆ（教師用１０ＦＡ）の情報表示制御処理に従った表計算モードでの動作状態とタブレット端末２０の動作状態を示す図である。
【０１０８】
図１１は、前記教師用の関数電卓１０ＦＡにより表計算モードで作成する問題に応じた正解データＳＤを示す図である。
【０１０９】
ここでの問題は、「あるクラス４０人の生徒の体重を測って、体重Ａ、人数Ｂとする度数分布表ができた。これについて体重の平均を求めよ。」であり、各生徒に求める作業内容は、「合計の体重をセルＣ１１に書いて、セルＢ１１とセルＣ１１の結果を用いた回答式をセルＡ１２に書く事。」である。
【０１１０】
前記教師用の関数電卓１０ＦＡにおいて、前記基本設定データ（角度モード、丸めモード、表示モード等）を設定した後に（ステップＳ１）、図１０（Ａ１）に示すように、計算モード設定画面Ｇ１の［８］を指定して計算モードを表計算(SPREAD SHEET)モードに設定し（ステップＳ２）、図１０（Ａ２）〜（Ａ４）に示すように、表計算画面Ｇ３の各セルＡ１〜Ａ１１、Ｂ１〜Ｂ１１、Ｃ１〜Ｃ１１に前記正解データＳＤ（図１１参照）に応じた体重、人数、体重毎の合計値（合計式）、人数の合計値（合計式）、全体重の合計値（合計式）を入力して表示させる（ステップＳ３，Ｓ４）。
【０１１１】
そして、図１０（Ａ５）に示すように、前記表計算画面Ｇ３のセルＡ１２において前記全体重の平均を求める計算式「＝Ｃ１１÷Ｂ１１」を入力して計算実行し、計算結果「４４．９７５」を表示させる（ステップＳ５，Ｓ６）。
【０１１２】
ここでは、前記基本設定データと計算モード（表計算モード）を含む設定データが前記設定データエリア１４ｃに記憶され、前記表計算画面Ｇ３に表示させた表と各セルの数値や合計式が入力データエリア１４ｄに記憶される。そして、前記計算式「＝Ｃ１１÷Ｂ１１」が前記計算結果データエリア１４ｅに記憶される。
【０１１３】
こうして、前記教師用の関数電卓１０ＦＡにより計算処理した前記設定データと入力データと計算結果データを含む作業データを正解データとして前記タブレット端末２０に保存するため、図１０（Ｂ１）に示すように、前記タブレット端末２０において、前記専用アプリケーションプログラム（ＥＤＵＣＡＴＩＯＮプログラム２３ｃ）を起動させる。
【０１１４】
前記タブレット端末２０において、前記（実施例１）と同様に、前記動作選択メニューの「正解データ受信処理」が選択され、図１０（Ｂ２）に示すように、当該タブレット端末２０を前記教師用の関数電卓１０ＦＡに接近させて通信接続させると（ステップＴ１（Ｙｅｓ））、当該タブレット端末２０から前記教師用の関数電卓１０ＦＡに対して、正解（模範）データとなる作業データの送信依頼が送信される（ステップＴ２）。
【０１１５】
前記教師用の関数電卓１０ＦＡにおいて、前記タブレット端末２０から送信された正解（模範）データとなる作業データの送信依頼が受信されると（ステップＤ１（Ｙｅｓ））、前記同様に、当該関数電卓１０ＦＡの固有ＩＤを対応付けて、前記図１１で示した表計算の正解データＳＤに応じて前記設定データエリア１４ｃに記憶されている設定データと、前記入力データエリア１４ｄに記憶されている入力データと、前記計算結果データエリア１４ｅに記憶されている計算結果データとを含む作業データが前記タブレット端末２０に送信される（ステップＤ２）。
【０１１６】
前記タブレット端末２０において、前記教師用の関数電卓１０ＦＡから送信された固有ＩＤと作業データが受信されると（ステップＴ３）、受信完了メッセージｍが表示され、当該受信された前記関数電卓１０ＦＡの固有ＩＤに対応するユーザ名が前記メモリ２３内に既に登録されているか否か判断される（ステップＴ４）。
【０１１７】
ここでは、前記教師用の関数電卓１０ＦＡの固有ＩＤに対応するユーザ名「まりこ先生」が前記メモリ２３内に登録されていると判断されるので（ステップＴ４（Ｙｅｓ））、当該ユーザ名と受信日時とに対応付けて、前記受信された作業データが、前記バックアップデータエリア２３ｄに正解データＸ２として記憶され保存される（ステップＴ７）。
【０１１８】
そして、図１０（Ｂ３）に示すように、前記バックアップデータエリア２３ｄに保存された各正解データＸ１，Ｘ２を含むバックアップデータ一覧ＬＢが、ユーザ名と受信日時とに対応付けられて表示される（ステップＴ８）。
【０１１９】
ここで、前記教師は生徒に対して、前記図１０（Ａ１）〜（Ａ５）で行った表計算により体重の平均値を求める計算を、生徒の関数電卓１０ＦＢで行なうように問題を出す。
【０１２０】
次に、前記（実施例１）と同様に、生徒用の関数電卓（情報表示装置）１０ＦＢ（生徒１の関数電卓１０ＦＢ１／生徒２の関数電卓１０ＦＢ２とする）により回答した作業データを、前記タブレット端末２０に保存した正解（模範）データに基づいて、正誤判定する動作について説明する。
【０１２１】
図１２は、前記関数電卓１０Ｆ（生徒用１０ＦＢ）の情報表示制御処理に従った各生徒（１，２）の操作（実施例２）に応じた動作状態とタブレット端末２０の動作状態を示す図である。
【０１２２】
前記生徒１用の関数電卓１０ＦＢ１において、前記教師が出した問題に従い、前記基本設定データ（角度モード、丸めモード、表示モード等）を設定した後に（ステップＳ１）、図１２（Ａ１）（Ａ２）に示すように、計算モードを表計算(SPREAD SHEET)モードに設定し（ステップＳ２）、表計算画面Ｇ３の各セルＡ１〜Ａ１１、Ｂ１〜Ｂ１１、Ｃ１〜Ｃ１１に前記問題に応じた体重、人数、体重毎の合計値（合計式）、人数の合計値（合計式）、全体重の合計値（合計式）を入力して表示させる（ステップＳ３，Ｓ４）。
【０１２３】
そして、図１２（Ａ３）に示すように、前記表計算画面Ｇ３のセルＡ１２において前記全体重の平均を求める計算式「＝Ｃ１１÷Ｂ１１」を入力して計算実行し、計算結果「４４．９７５」を表示させる（ステップＳ５，Ｓ６）。
【０１２４】
ここで、前記（実施例１）と同様に、前記生徒１用の関数電卓１０ＦＢ１により前記教師の出した問題に対する回答としての計算処理が行われる過程において、前記タブレット端末２０により前記回答の正誤判定を行なうため、図１２（Ｂ１）に示すように、前記専用アプリケーションプログラム（ＥＤＵＣＡＴＩＯＮプログラム２３ｃ）を起動させる。
【０１２５】
そして、前記表示出力部２１に表示された動作選択メニュー（図示せず）から「ベリファイ（照合）処理」を選択し（ステップＴ９（Ｙｅｓ））、前記バックアップデータ一覧ＬＢとして表示された正解データの中から、前記生徒１用の関数電卓１０ＦＢ１の回答を正誤判定したい問題の正解データ（ここでは、まりこ先生の［正解］20160215:16:15）Ｘ２を選択して指定する（ステップＴ１０，Ｔ１１）。
【０１２６】
そして、図１２（Ｂ２）に示すように、前記タブレット端末２０を前記生徒１用の関数電卓１０ＦＢ１に接近させて通信接続させる。
【０１２７】
すると、前記タブレット端末２０から前記生徒１用の関数電卓１０ＦＢ１に対して、ベリファイ（照合）通知（ベリファイ（照合）のための作業データの送信依頼）が行われる（ステップＴ１２）。
【０１２８】
ここで、前記生徒１用の関数電卓１０ＦＢ１において、例えば前記図１２（Ａ１）又は（Ａ２）で示したように、前記表計算画面Ｇ３での各セルＡ１〜Ａ１１、Ｂ１〜Ｂ１１、Ｃ１〜Ｃ１１に対する体重、人数、体重毎の合計値等の入力中である計算処理の回答途中で、前記タブレット端末２０によるベリファイ（照合）処理の正誤判定を行なおうとした場合には、前記関数電卓１０ＦＢ１からの受信データ（ステップＤ３，Ｄ４（ステップＴ１３））には計算結果データが含まれない、つまり、前記生徒１用の関数電卓１０ＦＢ１による回答のための表計算処理は完了していないと判断される（ステップＴ１４（Ｎｏ））。
【０１２９】
この場合、図１２（Ｂ３）に示すように、前記タブレット端末２０の表示出力部２１には、前記生徒１用の関数電卓１０ＦＢ１について計算途中であることの報知メッセージ「電卓はデータの入力中です。計算結果の算出後に、正誤判定します。」ｍ２が表示される（ステップＴ１５）。
【０１３０】
一方、前記図１２（Ａ３）で示したように、前記生徒１用の関数電卓１０ＦＢ１による回答のための表計算処理が完了した状態で、図１２（Ｂ２）で示したように、前記生徒１用の関数電卓１０ＦＢ１に前記タブレット端末２０を通信接続させて、当該タブレット端末２０によるベリファイ（照合）処理の正誤判定を行なおうとした場合には（ステップＴ９〜Ｔ１２（ステップＤ３，Ｄ４））、前記関数電卓１０ＦＢ１からの受信データに計算結果データ「４４.９７５（＝Ｃ１１÷Ｂ１１）」が含まれると判断される（ステップＴ１４（Ｙｅｓ））。
【０１３１】
すると、前記受信データと前記正解データとは、計算モードが表計算モードで同じ（ステップＴ１６（Ｙｅｓ））、基本設定データが同じ（ステップＴ２０（Ｙｅｓ））、計算結果データが同じ（ステップＴ２４（Ｙｅｓ））と判断され、図１２（Ｂ４）に示すように、前記受信データの固有ＩＤに対応付けられて登録されている前記生徒１用の関数電卓１０ＦＢ１のユーザ名「あきら」と、前記受信データと正解データとの一致を示すマーク［○］を表記した正解メッセージｍ４が表示される（ステップＴ２６）。
【０１３２】
なお、前記タブレット端末２０でのベリファイ（照合）処理の正誤判定に応じて、前記図１２（Ｂ４）で示したように表示させた正解メッセージｍ４は、例えば正解通知を前記生徒１用の関数電卓１０ＦＢ１に送信することで、当該関数電卓１０ＦＢ１においても、図１２（Ａ４）に示すように、正解通知メッセージｍｔとして表示させてもよい。
【０１３３】
次に、図１２（Ａ５）に示すように、前記生徒２用の関数電卓１０ＦＢ２により前記教師の出した問題（表計算により体重の平均値を求める問題）に対する回答としての計算操作が行われたものの、前記表計算画面Ｇ３のセルＡ１２に入力されて表示された計算結果「１７９．９（＝Ｃ１１÷１０）」が誤っている状態で、前記同様に、前記タブレット端末２０において、前記生徒２用の関数電卓１０ＦＢ２と通信接続してベリファイ（照合）処理の正誤判定を行なう（ステップＴ１２，Ｔ１３）。
【０１３４】
すると、前記生徒２用の関数電卓１０ＦＢ２からの受信データと前記正解データとは、計算モードが表計算モードで同じ（ステップＴ１６（Ｙｅｓ））、基本設定データが同じ（ステップＴ２０（Ｙｅｓ））と判断されるものの、計算結果データが異なる（ステップＴ２４（Ｎｏ））と判断され、図１２（Ｂ５）に示すように、前記受信データの固有ＩＤに対応付けられて登録されている前記生徒２用の関数電卓１０ＦＢ２のユーザ名「ひとみ」と、前記受信データと正解データとの不一致を示すマーク［×］を表記した不正解メッセージｍ６が表示される（ステップＴ２５）。
【０１３５】
なお、前記タブレット端末２０でのベリファイ（照合）処理の正誤判定に応じて、前記図１２（Ｂ５）で示したように表示させた不正解メッセージｍ６は、例えば不正解通知を前記生徒２用の関数電卓１０ＦＢ２に送信することで、当該関数電卓１０ＦＢ２においても、図１２（Ａ６）に示すように、不正解通知メッセージｍｆとして表示させてもよい。
【０１３６】
これにより、教師が出した問題に対する回答としての計算操作を前記各生徒１，２，…の関数電卓１０ＦＢ１，ＦＢ２，…によりそれぞれ行っている過程でも、適宜任意の生徒の関数電卓１０ＦＢに前記タブレット端末２０を近付けて通信接続し、前記ベリファイ（照合）処理の正誤判定を行なうだけで、前記計算操作の途中である場合は計算途中であることの報知メッセージｍ２を表示させ、またその計算結果が正しい場合には前記正解メッセージｍ４を表示させ、またその計算結果が誤りである場合には前記不正解メッセージｍ６を表示させ、各生徒それぞれの回答の状態に応じた正誤判定の結果を容易に確認することができる。
【０１３７】
なお、前記（実施例２）で説明したように、前記正解データが表計算モードでの計算処理に対応した作業データである場合でも、前記正誤判定の対象である生徒の関数電卓１０ＦＢからの受信データに含まれる計算モードの設定データが、前記表計算モードとは異なる設定データあった場合には、前記（実施例１）で説明したのと同様に、前記正解データの表計算モードと入力データ（表計算画面Ｇ３で入力した各セルの数値や合計式）を前記生徒の関数電卓１０ＦＢに送信することで（ステップＴ１６〜Ｔ１９）、当該生徒の関数電卓１０ＦＢにおいて、適切かつ速やかに正しい内容の計算処理を再実行させることができる。
【０１３８】
したがって、前記構成の情報表示装置としての関数電卓１０Ｆと通信機器としてのタブレット端末２０によれば、教師用関数電卓１０ＦＡの計算処理に応じた計算モードと基本設定データと入力データと計算結果データを含む作業データを、正解データ受信処理の動作が選択されたタブレット端末２０と通信接続することで、当該タブレット端末２０に前記教師用関数電卓１０ＦＡの作業データを送信して生徒用関数電卓１０ＦＢでの作業データを正誤判定するための正解データとして保存する。
【０１３９】
そして、前記生徒用関数電卓１０ＦＢに前記タブレット端末２０をベリファイ（照合）処理の動作を選択して通信接続させると、当該生徒用関数電卓１０ＦＢでの計算処理に応じた作業データが前記タブレット端末２０に送信され、前記タブレット端末２０では、前記生徒用関数電卓１０ＦＢからの受信データ（作業データ）に計算結果データが含まれる場合は、当該受信データと前記正解データとを比較し、同じである（正しい）場合には正解メッセージｍ４を表示させ、異なる（誤りの）場合には不正解メッセージｍ６を表示させる。また、前記生徒用関数電卓１０ＦＢからの受信データ（作業データ）に計算結果データが含まれない場合は、計算途中であることの報知メッセージｍ２を表示させる。
【０１４０】
これにより、前記生徒用関数電卓１０ＦＢに前記タブレット端末２０を近付けて通信接続させるだけで、当該生徒用関数電卓１０ＦＢでの回答作業の進捗に応じて、計算途中であること、計算結果が正解であること又は不正解であること等、適切な情報を出力することが可能になる。
【０１４１】
また、前記構成の情報表示装置としての関数電卓１０Ｆと通信機器としてのタブレット端末２０によれば、前記タブレット端末２０における前記生徒用関数電卓１０ＦＢからの受信データと前記正解データとの比較は、各データに含まれる計算モード同士、基本設定データ同士、計算結果データ同士で比較する。
【０１４２】
そして、前記受信データと正解データの計算モードが異なる場合には、計算モード誤りメッセージｍ５を表示させ、前記正解データの計算モードと入力データを前記生徒用関数電卓１０ＦＢに設定変更データとして送信し、当該生徒用関数電卓１０ＦＢに設定された計算モードと入力データを変更する。
【０１４３】
これにより、前記生徒用関数電卓１０ＦＢに前記タブレット端末２０を近付けて通信接続させるだけで、計算モードが誤りであることを容易に確認して前記生徒を適切に指導でき、さらに正しい計算モードの設定データと入力データを送って当該生徒による回答操作の進捗を適切に支援することができる。
【０１４４】
さらに、前記受信データと正解データの基本設定データが異なる場合には、基本設定誤りメッセージｍ３を表示させ、前記正解データの基本設定データを前記生徒用関数電卓１０ＦＢに設定変更データとして送信し、当該生徒用関数電卓１０ＦＢに設定された基本設定データを変更する。
【０１４５】
これにより、前記生徒用関数電卓１０ＦＢに前記タブレット端末２０を近付けて通信接続させるだけで、基本設定が誤りであることを容易に確認して前記生徒を適切に指導でき、さらに正しい基本設定データを送って正しい計算の内容で速やかに再計算を行わせることできる。
【０１４６】
なお、前記各実施形態において記載した情報表示装置（１０Ｆ／１０ＦＡ／１０ＦＢ）と通信機器（２０）による各処理の手法、すなわち、図５（Ａ）のフローチャートに示す情報表示制御処理、図５（Ｂ）のフローチャートに示す情報表示制御処理（通信割込み処理）、図６，図７のフローチャートに示す通信処理等の各手法は、何れもコンピュータに実行させることができるプログラムとして、メモリカード（ＲＯＭカード、ＲＡＭカード等）、磁気ディスク（フロッピー（登録商標）ディスク、ハードディスク等）、光ディスク（ＣＤ−ＲＯＭ、ＤＶＤ等）、半導体メモリ等の記録媒体に格納して配布することができる。また、前記各手法を実現するためのプログラムのデータは、プログラムコードの形態として通信ネットワークＮ上を伝送させることができ、このプログラムデータを、通信ネットワークＮに接続された電子機器のコンピュータに通信部によって取り込むことで、前述した正解である作業データの保存機能、回答である作業データのベリファイ（照合）機能、前記回答である作業データの変更（修正）機能を実現することもできる。
【０１４７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１４８】
以下に、本願出願の当初の特許請求の範囲に記載された発明を付記する。
【０１４９】
［１］
計算結果を含む第１の作業データを記憶している第１作業データ記憶手段と、
情報表示装置から第２の作業データを受信する作業データ受信手段と、
前記作業データ受信手段により受信された第２の作業データに計算結果が含まれている場合に、前記受信された第２の作業データと前記第１の作業データとを比較した比較結果を出力する比較結果出力手段と、
前記作業データ受信手段により受信された第２の作業データに計算結果が含まれていない場合に、前記計算結果が含まれていないことに対応した情報を報知する作業中報知手段と、
を備えたことを特徴とする通信機器。
【０１５０】
［２］
前記第１の作業データは第１の計算モードを含み、
前記第２の作業データは第２の計算モードを含み、
前記比較結果出力手段は、前記受信された第２の作業データと前記第１の作業データとを比較した比較結果として、前記第２の作業データに含まれる第２の計算モードが前記第１の作業データに含まれる第１の計算モードと異なる場合に、計算モードが異なる旨を報知する計算モード報知手段を有する、
ことを特徴とする［１］に記載の通信機器。
【０１５１】
［３］
前記第１の作業データは第１の設定データを含み、
前記第２の作業データは第２の設定データを含み、
前記比較結果出力手段は、前記受信された第２の作業データと前記第１の作業データとを比較した比較結果として、前記第２の作業データに含まれる第２の設定データが前記第１の設定データと異なる場合に、設定データが異なる旨を報知する設定データ報知手段を有する、
ことを特徴とする［１］又は［２］に記載の通信機器。
【０１５２】
［４］
前記第１の作業データは第１の入力データを含み、
前記第２の作業データは第２の入力データを含み、
前記第２の作業データに含まれる第２の計算モードが前記第１の作業データに含まれる第１の計算モードと異なる場合に、前記第１の作業データに含まれる第１の計算モードと第１の入力データを、前記情報表示装置に送信する入力データ送信手段を有する、
ことを特徴とする［２］に記載の通信機器。
【０１５３】
［５］
前記第２の作業データに含まれる第２の設定データが前記第１の作業データに含まれる第１の設定データと異なる場合に、前記第１の作業データに含まれる第１の設定データを、前記情報表示装置に送信する設定データ送信手段を有する、
ことを特徴とする［４］に記載の通信機器。
【０１５４】
［６］
前記作業データ受信手段は、近距離無線通信による受信手段である、ことを特徴とする［１］乃至［５］の何れかに記載の通信機器。
【０１５５】
［７］
第１の作業データを記憶している作業データ記憶手段と、
第２の作業データを記憶している通信機器から前記第１の作業データの送信依頼を受信する送信依頼受信手段と、
前記送信依頼受信手段による送信依頼の受信に応じて、前記作業データ記憶手段に記憶された第１の作業データを前記通信機器に送信する作業データ送信手段と、
前記作業データ送信手段により前記通信機器に送信した第１の作業データが計算結果を含み且つ前記第２の作業データと異なる場合に、前記通信機器から前記作業データ記憶手段により記憶した第１の作業データを前記第２の作業データに対応させて変更するための変更データを受信する変更データ受信手段と、
を備えたことを特徴とする情報表示装置。
【０１５６】
［８］
前記第１の作業データは第１の計算モードと第１の入力データを含み、
前記第２の作業データは第２の計算モードと第２の入力データを含み、
前記変更データ受信手段は、前記通信機器から受信する、前記第１の作業データを前記第２の作業データに対応させて変更するための変更データとして、前記第２の作業データに含まれる前記第２の計算モードと前記第２の入力データを受信する、
ことを特徴とする［７］に記載の情報表示装置。
【０１５７】
［９］
前記送信依頼受信手段又は前記作業データ送信手段又は変更データ受信手段は、近距離無線通信手段を備える、ことを特徴とする［７］又は［８］に記載の情報表示装置。
【０１５８】
［１０］
通信機器を制御するための通信方法であって、
計算結果を含む第１の作業データを記憶し、
情報表示装置から第２の作業データを受信し、
前記受信された第２の作業データに計算結果が含まれている場合に、前記受信された第２の作業データと前記第１の作業データとを比較した比較結果を出力し、
前記受信された第２の作業データに計算結果が含まれていない場合に、前記計算結果が含まれていないことに対応した情報を報知する、
ことを特徴とする通信方法。
【０１５９】
［１１］
情報表示装置を制御するための情報表示方法であって、
第１の作業データを記憶し、
第２の作業データを記憶している通信機器から前記第１の作業データの送信依頼を受信し、
前記送信依頼の受信に応じて、前記記憶された第１の作業データを前記通信機器に送信し、
前記通信機器に送信した第１の作業データが計算結果を含み且つ前記第２の作業データと異なる場合に、前記通信機器から前記記憶した第１の作業データを前記第２の作業データに対応させて変更するための変更データを受信する、
ことを特徴とする情報表示方法。
【０１６０】
［１２］
通信機器のコンピュータを制御するためのプログラムであって、
前記コンピュータを、
計算結果を含む第１の作業データを記憶している第１作業データ記憶手段と、
情報表示装置から第２の作業データを受信する作業データ受信手段と、
前記作業データ受信手段により受信された第２の作業データに計算結果が含まれている場合に、前記受信された第２の作業データと前記第１の作業データとを比較した比較結果を出力する比較結果出力手段と、
前記作業データ受信手段により受信された第２の作業データに計算結果が含まれていない場合に、前記計算結果が含まれていないことに対応した情報を報知する作業中報知手段、
として機能させるためのコンピュータ読み込み可能なプログラム。
【０１６１】
［１３］
情報表示装置のコンピュータを制御するためのプログラムであって、
前記コンピュータを、
第１の作業データを記憶している作業データ記憶手段と、
第２の作業データを記憶している通信機器から前記第１の作業データの送信依頼を受信する送信依頼受信手段と、
前記送信依頼受信手段による送信依頼の受信に応じて、前記作業データ記憶手段に記憶された第１の作業データを前記通信機器に送信する作業データ送信手段と、
前記作業データ送信手段により前記通信機器に送信した第１の作業データが計算結果を含み且つ前記第２の作業データと異なる場合に、前記通信機器から前記作業データ記憶手段により記憶した第１の作業データを前記第２の作業データに対応させて変更するための変更データを受信する変更データ受信手段、
として機能させるためのコンピュータ読み込み可能なプログラム。
【符号の説明】
【０１６２】
１０Ｆ…情報表示装置（関数電卓）
１０Ｄ…情報表示装置（電子辞書装置）
１１  …キー入力部
１１１…数値・演算記号キー群
１１２…関数機能キー群
１１３…モード設定キー群
１１４…カーソルキー
１２  …表示出力部
１３  …ＣＰＵ
１４  …メモリ
１４ａ…表示制御プログラム
１４ｂ…固有ＩＤ
１４ｃ…設定データエリア
１４ｄ…入力データエリア
１４ｅ…計算結果データエリア
１６  …無線通信部
２０  …通信機器（カメラ付きタブレット端末等）
２１  …表示出力部
２２  …ＣＰＵ
２３  …メモリ
２３ａ…通信機器制御プログラム
２３ｂ…ＱＲコードリーダプログラム
２３ｃ…ＥＤＵＣＡＴＩＯＮプログラム
２３ｄ…バックアップデータエリア
２３ｅ…ワークデータエリア
２５  …タッチ入力部
２６  …カメラ部
２７  …無線通信部
２８  …近距離無線通信部
３０  …計算サーバ
Ｎ    …通信ネットワーク（Ｗｅｂ）
Ｇ１  …計算モード設定画面
Ｇ２  …角度モード設定画面
Ｇ３  …表計算画面
ＬＢ  …バックアップデータ一覧
ｍ    …受信完了メッセージ
ｍ１  …正解データ選択メッセージ
ｍ２  …計算途中報知メッセージ
ｍ３  …基本設定誤りメッセージ
ｍ４  …正解メッセージ
ｍ５  …計算モード誤りメッセージ
ｍ６  …不正解メッセージ
【図１】
0006720622.tif 000002
【図２】
0006720622.tif 000003
【図３】
0006720622.tif 000004
【図４】
0006720622.tif 000005
【図５】
0006720622.tif 000006
【図６】
0006720622.tif 000007
【図７】
0006720622.tif 000008
【図８】
0006720622.tif 000009
【図９】
0006720622.tif 000010
【図１０】
0006720622.tif 000011
【図１１】
0006720622.tif 000012
【図１２】
0006720622.tif 000013